(57)【要約】【課題】一般的な既存のテレビ受像機及び既存のビデオ録画装置でＥＰＧを利用することが可能であるとともに、より使い勝手の良いテレビ番組表制御装置を提供する。【解決手段】テレビ放送の番組ガイド情報が入力される入力端子と、番組ガイド情報に基づいた番組表をテレビ受像機に出力する出力端子と、入力された番組ガイド情報をテレビ受像機に表示可能な番組表に変換する制御手段とを備え、テレビ受像機に番組ガイド情報に基づいた番組表のみを表示可能とする。表示している番組表の中から１つの番組が選択され、録画予約操作が行われると、選択された番組に関するチャネルと放送日時を抽出するとともに、設定手段に基づいてビデオ録画装置のメーカまたは機種の少なくとも一方に対応する録画指示変換情報を選定し、抽出したチャネルと放送日時を、選定した録画指示変換情報に基づいて、録画予約情報に変換して無線送信手段からビデオ録画装置に出力する。【選択図】        図１
2006101423.tif 000002
【特許請求の範囲】
【請求項１】
テレビ放送の番組ガイド情報が入力される入力端子と、
番組ガイド情報に基づいた番組表をテレビ受像機に出力する出力端子と、
入力された番組ガイド情報をテレビ受像機に表示可能な番組表に変換する制御手段とを備え、
テレビ受像機に番組ガイド情報に基づいた番組表のみを表示可能とする、
ことを特徴とするテレビ番組表制御装置。
【請求項２】
請求項１に記載のテレビ番組表制御装置であって、
更に、テレビ放送の録画に関する無線信号をビデオ録画装置に出力する無線送信手段と、ビデオ録画装置のメーカまたは機種の少なくとも一方を設定可能な設定手段と、記憶手段とを備え、
記憶手段には、ビデオ録画装置のメーカまたは機種の少なくとも一方に対応させた録画指示変換情報が記憶されており、
テレビ受像機に表示している番組表には、各番組がチャネル毎に放送日時と放送内容とが識別可能に表示され、
番組表の中から１つの番組が選択され、録画予約操作が行われると、
制御手段は、選択された番組に関するチャネルと放送日時を抽出するとともに、設定手段に基づいてビデオ録画装置のメーカまたは機種の少なくとも一方に対応する録画指示変換情報を選定し、抽出したチャネルと放送日時を、選定した録画指示変換情報に基づいて、ビデオ録画装置に録画の予約を可能とする録画予約情報に変換して無線送信手段から出力する、
ことを特徴とするテレビ番組表制御装置。
【請求項３】
請求項１に記載のテレビ番組表制御装置であって、
更に、テレビ放送の録画に関する無線信号をビデオ録画装置に出力する無線送信手段と、ビデオ録画装置のメーカまたは機種の少なくとも一方を設定可能な設定手段と、記憶手段とを備え、
記憶手段には、ビデオ録画装置のメーカまたは機種の少なくとも一方に対応させた録画指示変換情報が記憶されており、
テレビ受像機に表示している番組表には、各番組がチャネル毎に放送日時と放送内容とが識別可能に表示され、
番組表の中から１つの番組が選択され、録画予約操作が行われると、
制御手段は、選択された番組に関するチャネルと放送日時とを対応付けた録画予約情報を記憶手段に記憶し、
録画予約情報に記憶している放送日時における放送開始日時に達すると、
制御手段は、当該達した放送開始日時に対応するチャネルを録画予約情報から抽出するとともに、設定手段に基づいてビデオ録画装置のメーカまたは機種の少なくとも一方に対応する録画指示変換情報を選定し、抽出したチャネルを、選定した録画指示変換情報に基づいて、ビデオ録画装置に録画の開始を指示する録画開始情報に変換して無線送信手段から出力する、
ことを特徴とするテレビ番組表制御装置。
【請求項４】
請求項３に記載のテレビ番組表制御装置であって、
録画予約情報に記憶している放送日時における放送終了日時に達すると、
制御手段は、設定手段に基づいてビデオ録画装置のメーカまたは機種の少なくとも一方に対応する録画指示変換情報を選定し、選定した録画指示変換情報に基づいて、ビデオ録画装置に録画の終了を指示する録画終了情報を無線送信手段から出力する、
ことを特徴とするテレビ番組表制御装置。
【発明の詳細な説明】
【技術分野】
【０００１】
本発明は、ＥＰＧ（Electric Program Guide：電子放送番組表）をテレビ受像機に表示可能なテレビ番組表制御装置に関する。
【背景技術】
【０００２】
近年、電子放送番組表（以下、ＥＰＧと記載する）が、地上波やＢＳ／ＣＳ放送等の電波に重畳されて提供、あるいはインターネット経由で提供されている。このＥＰＧを利用するには、ＥＰＧ信号の復調手段を搭載した機器が必要である。
しかしＥＰＧ信号の復調手段を搭載した機器は、ＢＳ／ＣＳ放送専用受信装置、地上波用チューナを搭載したテレビ受像機、地上波用チューナを搭載したビデオ録画装置（ハードディスクレコーダ）等、近年から供給が開始された高額な製品にしか搭載されておらず、アナログ放送用チューナのみを搭載した既存のテレビ受像機や、アナログ放送用チューナのみを搭載した既存のビデオ録画装置では利用することができない。
地上波放送は、従来のアナログ放送と電波自体は同じであり、従来のアンテナで受信することは可能であるが、専用の復調手段を必要とする。
【０００３】
特許文献１に記載の従来技術では、ビデオ録画装置にコネクタを介して接続され、ビデオ録画装置からテレビ受像機に番組表を表示し、利用者が所望する番組を選択することでビデオ録画装置に録画予約するとともに同一内容の番組をサーチする、録画予約制御装置が提案されている。
また、特許文献２に記載の従来技術では、インターネット経由でＥＰＧを取得してリモコン装置に無線通信でＥＰＧを送信し、リモコン装置に装備した液晶タッチパネルディスプレイにＥＰＧに基づいた番組表を表示させるリモコン装置が提案されている。また、このリモコン装置に表示されている番組表から所望する番組を選択することで、テレビ受像機、ビデオ録画装置に機器制御コマンドを放射することが記載されている。
【特許文献１】特許第３１３６１３９号公報
【特許文献２】特開２００２−９５８４９号公報
【発明の開示】
【発明が解決しようとする課題】
【０００４】
特許文献１に記載されている録画予約制御装置は、専用のコネクタを装備したビデオ録画装置に搭載するために、当該コネクタに挿入可能なコネクタを装備したカード状の形状をしており、専用のビデオ録画装置でなければ利用することができない。これでは、一般的に普及している既存のビデオ録画装置では利用することができない。
特許文献２に記載されているリモコン装置は、番組表をリモコン装置に装備した液晶タッチパネルディスプレイに表示するため、複数チャネルを１画面に同時に表示すると文字が小さくなる。また、文字を大きく表示すると、複数チャネルを一覧表示することができず、使い勝手が良くない。さらに、ＥＰＧをインターネット経由で受信するため、インターネット契約をしていない家庭等では使用することができない。
【０００５】
本発明は、このような点に鑑みて創案されたものであり、一般的な既存のテレビ受像機及び既存のビデオ録画装置でＥＰＧを利用することが可能であるとともに、より使い勝手の良いテレビ番組表制御装置を提供することを課題とする。
【課題を解決するための手段】
【０００６】
上記課題を解決するための手段として、本発明の第１発明は、請求項１に記載されたとおりのテレビ番組表制御装置である。
請求項１に記載のテレビ番組表制御装置は、テレビ放送の番組ガイド情報が入力される入力端子と、番組ガイド情報に基づいた番組表をテレビ受像機に出力する出力端子と、入力された番組ガイド情報をテレビ受像機に表示可能な番組表に変換する制御手段とを備え、テレビ受像機に番組ガイド情報に基づいた番組表のみを表示可能とする。
【０００７】
また、本発明の第２発明は、請求項２に記載されたとおりのテレビ番組表制御装置である。
請求項２に記載のテレビ番組表制御装置は、請求項１に記載のテレビ番組表制御装置であって、更に、テレビ放送の録画に関する無線信号をビデオ録画装置に出力する無線送信手段と、ビデオ録画装置のメーカまたは機種の少なくとも一方を設定可能な設定手段と、記憶手段とを備える。
記憶手段には、ビデオ録画装置のメーカまたは機種の少なくとも一方に対応させた録画指示変換情報が記憶されており、テレビ受像機に表示している番組表には、各番組がチャネル毎に放送日時と放送内容とが識別可能に表示される。
そして、番組表の中から１つの番組が選択され、録画予約操作が行われると、制御手段は、選択された番組に関するチャネルと放送日時を抽出するとともに、設定手段に基づいてビデオ録画装置のメーカまたは機種の少なくとも一方に対応する録画指示変換情報を選定し、抽出したチャネルと放送日時を、選定した録画指示変換情報に基づいて、ビデオ録画装置に録画の予約を可能とする録画予約情報に変換して無線送信手段から出力する。
【０００８】
また、本発明の第３発明は、請求項３に記載されたとおりのテレビ番組表制御装置である。
請求項３に記載のテレビ番組表制御装置は、請求項１に記載のテレビ番組表制御装置であって、更に、テレビ放送の録画に関する無線信号をビデオ録画装置に出力する無線送信手段と、ビデオ録画装置のメーカまたは機種の少なくとも一方を設定可能な設定手段と、記憶手段とを備える。
記憶手段には、ビデオ録画装置のメーカまたは機種の少なくとも一方に対応させた録画指示変換情報が記憶されており、テレビ受像機に表示している番組表には、各番組がチャネル毎に放送日時と放送内容とが識別可能に表示される。
そして、番組表の中から１つの番組が選択され、録画予約操作が行われると、制御手段は選択された番組に関するチャネルと放送日時とを対応付けた録画予約情報を記憶手段に記憶する。
そして、録画予約情報に記憶している放送日時における放送開始日時に達すると、制御手段は、当該達した放送開始日時に対応するチャネルを録画予約情報から抽出するとともに、設定手段に基づいてビデオ録画装置のメーカまたは機種の少なくとも一方に対応する録画指示変換情報を選定し、抽出したチャネルを、選定した録画指示変換情報に基づいて、ビデオ録画装置に録画の開始を指示する録画開始情報に変換して無線送信手段から出力する。
【０００９】
また、本発明の第４発明は、請求項４に記載されたとおりのテレビ番組表制御装置である。
請求項４に記載のテレビ番組表制御装置は、請求項３に記載のテレビ番組表制御装置であって、録画予約情報に記憶している放送日時における放送終了日時に達すると、制御手段は、設定手段に基づいてビデオ録画装置のメーカまたは機種の少なくとも一方に対応する録画指示変換情報を選定し、選定した録画指示変換情報に基づいて、ビデオ録画装置に録画の終了を指示する録画終了情報を無線送信手段から出力する。
【発明の効果】
【００１０】
請求項１に記載のテレビ番組表制御装置を用いれば、既存のテレビ受像機に利用している既存のアンテナを介してＥＰＧ（番組ガイド情報）を取得可能であり、取得したＥＰＧを既存のテレビ受像機に大きく表示させることができる。
これにより、一般的な既存のテレビ受像機でＥＰＧを利用することが可能であるとともに、既存のテレビ受像機の大画面に複数チャネルを同時に表示可能であり、より使い勝手を良くすることができる。
【００１１】
また、請求項２に記載のテレビ番組表制御装置によれば、既存のビデオ録画装置の録画予約を行う際、既存のテレビ受像機に表示させた番組表から所望する番組を選択して録画予約操作を行うだけで、ビデオ録画装置の予約設定を行うことが可能であり、使い勝手が良い。
なお、既存のビデオ録画装置への録画予約のコマンドは、予め登録されている録画指示変換情報に基づいて変換される。
【００１２】
また、請求項３に記載のテレビ番組表制御装置によれば、既存のテレビ受像機に表示させた番組表から所望する番組を選択して録画予約操作を行うだけで、当該番組の放送開始日時になるとテレビ番組表制御装置が自動的にビデオ録画装置を起動して録画を開始するので使い勝手が良い。
【００１３】
また、請求項４に記載のテレビ番組表制御装置によれば、請求項３に記載したテレビ番組表制御装置の動作により、自動的に開始されたビデオ録画装置に対して、番組の放送終了日時になるとテレビ番組表制御装置が自動的にビデオ録画装置を停止して録画を終了するので使い勝手が良い。
また、テレビ番組表制御装置が日時の管理を行ってビデオ録画装置の録画動作を制御するため、ビデオ録画装置側の日時の設定を行う必要がない。利用者はビデオ録画装置側にて新たな設定等を何も行わなくても、テレビ番組表制御装置を設定して既存のテレビ受像機に表示させた番組表から所望する番組を選択するだけで、利用者が所望する番組の録画を行うことができ、非常に使い勝手が良い。
【発明を実施するための最良の形態】
【００１４】
以下に本発明を実施するための最良の形態を図面を用いて説明する。図１（Ａ）は本発明のテレビ番組表制御装置を構成するテレビ番組表制御装置本体１（以下、本体１と記載する）と、当該本体１に制御コマンドを無線通信にて送信するリモコン２の外観を示している。
また、図１（Ｂ）は、本体１のブロック構成と、既存のテレビ受像機Ｔ及び既存のビデオ録画装置Ｖと、既存のアンテナＡとの接続を示している。
【００１５】
●［外観及びブロック構成（図１）］
本体１は、受信した地上波（テレビ放送であり、ＥＰＧも重畳されている）を入力する入力端子１０と、地上波から抽出したＥＰＧ（番組ガイド情報に相当）を復調して作成した番組表を、既存のテレビ受像機Ｔに出力する出力端子１２と、ＡＣアダプタ（電源）を接続する電源端子１４とを備えている。
また、本体１には、赤外線リモコン信号（無線信号）をビデオ録画装置Ｖに出力する投光部２０Ｂと、赤外線リモコン信号を入力する受光部２０Ａとが設けられている。
リモコン２には、本体１を制御する赤外線リモコン信号を出力する発光部（図示せず）と、テレビ受像機Ｔに表示した番組表やメニュー情報（テレビ番組表制御装置の設定等を行う情報）の表示画面上でカーソル位置を移動させる移動キー３０と、番組表から選択した番組の録画予約を指示する録画予約キー３２と、メニュー情報の表示切り替えを指示するメニュー表示キー３４とを備えている。
【００１６】
本体１の入力端子１０には、アンテナＡにて受信した地上波が分配器Ｄを介して入力される。なお入力端子１０に、ＥＰＧが重畳されたケーブルテレビ等のケーブルを接続してもよい。
地上波等に重畳されて入力されたＥＰＧは、チューナ部１０ａにて抽出され、ＥＰＧ復調手段１０ｂにて復調されてＣＰＵ４０に入力される。
ＣＰＵ４０は、復調されたＥＰＧに基づいてテレビ受像機Ｔにて表示可能な番組表を作成し、出力インターフェース１０ｃ（以下、インターフェースをＩ／Ｆと記載する）と出力端子１２を介して、作成した番組表をテレビ受像機Ｔに出力する。また、ＥＰＧは常時地上波等に重畳されているとは限らず、１日に数回重畳されるため、ＣＰＵ４０は復調されたＥＰＧまたは作成した番組表を記憶手段４０ｂに記憶しておく。
またＣＰＵ４０は、利用者によるリモコン２からの赤外線リモコン信号を受光部２０Ａ及び入力Ｉ／Ｆ２０ａを介して受信し、赤外線リモコン信号に基づいてテレビ受像機Ｔに表示させている番組表においてカーソル位置を移動させたり、出力Ｉ／Ｆ２０ｃ及び投光部２０Ｂを介してビデオ録画装置Ｖに、赤外線リモコン信号にて録画予約情報を出力したりする。
【００１７】
●［テレビ番組表制御装置（本体）の処理（図２）］
次に図２に示すフローチャートを用いてテレビ番組表制御装置の本体１の処理の例について説明する。
ステップＳ１０にて、ＥＰＧ（番組ガイド情報）を受信したか否かを判定する。ＥＰＧを受信した（Ｙｅｓ）場合、ステップＳ１２に進み、ＥＰＧを受信していない（Ｎｏ）場合、ステップＳ１４に進む。
ステップＳ１２では受信したＥＰＧを記憶手段４０ｂに記憶し、ステップＳ１４に進む。なお、上述したように、ＥＰＧを記憶せずにＥＰＧから作成した番組表を記憶するようにしてもよい。
ステップＳ１４にて、記憶手段からＥＰＧを読み出し、読み出したＥＰＧに基づいて番組表を作成し、ステップＳ１５に進む。
【００１８】
ステップＳ１５では、現在メニュー表示を行っているか否かを判定する。メニュー表示を行っている（Ｙｅｓ）場合、ステップＳ２０に進み（メニュー表示を維持）、メニュー表示を行っていない（Ｎｏ）場合、ステップＳ１６に進む。
ステップＳ１６では、作成した番組表を、出力端子１２を介してテレビ受像機Ｔに出力し、ステップＳ２０に進む。
ステップＳ２０では、リモコン２からの入力の有無を判定する。入力が有る（Ｙｅｓ）場合、ステップＳ２２に進み、入力がない（Ｎｏ）場合、ステップＳ１０に戻る。
【００１９】
ステップＳ２２では、カーソル移動指示（移動キー３０の操作）の有無を判定する。カーソル移動指示が有る（Ｙｅｓ）場合、ステップＳ６０に進み、カーソル移動指示がない（Ｎｏ）場合、ステップＳ２４に進む。
ステップＳ６０に進んだ場合、現在テレビ受像機Ｔに表示している番組表またはメニューにおいて、現在のカーソル位置をカーソル移動指示に従って上下左右に移動させ、ステップＳ１０に戻る。
【００２０】
ステップＳ２４に進んだ場合、メニュー表示切り替え指示（メニュー表示キー３４の操作）の有無を判定する。切り替え指示が有る（Ｙｅｓ）場合、ステップＳ５０に進み、切り替え指示がない（Ｎｏ）場合、ステップＳ２６に進む。
ステップＳ５０に進んだ場合、現在メニュー表示を行っているか否かを判定する。メニュー表示を行っている（Ｙｅｓ）場合、ステップＳ５６に進み、メニュー表示の終了処理を行い（この結果、ステップＳ１５、Ｓ１６にて番組表が表示される）、ステップＳ１０に戻る。メニュー表示を行っていない（Ｎｏ）場合、ステップＳ５２に進む。
ステップＳ５２では、ビデオ録画装置Ｖのメーカまたは機種に対応するコード番号の選択画面（入力画面）の表示を行い（この画面がメニュー情報の表示画面に相当する）、ステップＳ５４に進む。なお、コード番号については後述する。
ステップＳ５４では、選択（入力）されたコード番号を記憶し、ステップＳ１０に戻る。これがビデオ録画装置Ｖのメーカまたは機種の少なくとも一方を設定可能な設定手段に相当する。
【００２１】
ステップＳ２６に進んだ場合、録画予約指示（録画予約キー３２の操作）の有無を判定する。録画予約操作が行われた（Ｙｅｓ）場合、ステップＳ３０に進み、録画予約操作が行われなかった（Ｎｏ）場合、ステップＳ１０に戻る。
ステップＳ３０では、カーソル位置に対応した番組に関する（当該番組のチャネルと放送日時（放送時間帯））情報を抽出し（読み出し）、ステップＳ３２に進む。
ステップＳ３２では、ステップＳ５２及びＳ５４にて選択（入力）されたコード番号を読み出す。
ステップＳ３４では、コード番号に基づいてビデオ録画装置Ｖのメーカまたは機種の少なくとも一方に対応する録画指示変換情報を選定し、ステップＳ３６に進む。なお、録画指示変換情報は、抽出したチャネルと放送日時を、ビデオ録画装置Ｖに転送可能な録画予約コマンドに変換するための情報であり、詳細は後述する。
ステップＳ３６では、選定した録画指示変換情報に基づいて、抽出したチャネルと放送日時を含みビデオ録画装置Ｖに転送可能な録画予約情報を作成し、ステップＳ３８に進む。
ステップＳ３８では、作成した録画予約情報をビデオ録画装置Ｖに、投光部２０Ｂを介して出力し、ステップＳ１０に戻る。
【００２２】
●［テレビ受像機に表示される番組表の例と、録画予約情報が送信されたビデオ録画装置の予約設定画面の例（図３）］
図３（Ａ）はテレビ受像機Ｔに表示された番組表Ｍ０１の例を示している。例えばテレビ受像機Ｔはビデオ入力端子を２つ備えており、一方のビデオ入力端子はビデオ録画装置Ｖからの信号が入力され、他方のビデオ入力端子には、本体１の出力端子１２からの信号が入力される。
番組表Ｍ０１には、各番組がチャネル毎に、放送日時と放送内容とが識別可能に表示される。例えば利用者は、図３（Ａ）の例に示す番組表Ｍ０１をテレビ受像機Ｔに表示させ、２００４年９月２１日（火）の２０：００から２２：００の時間帯では、チャネルＣｈ−Ｂにて、番組Ｂ３が放送されることを認識することができる。また、番組表Ｍ０１はテレビ受像機Ｔの画面に大きく表示されるため、複数チャネルの番組を、比較的大きな文字にて同時に表示させることが可能である。このため、利用者が所望する番組を選択することが容易であり、非常に使い勝手が良い。
【００２３】
例えば図３（Ａ）に示す番組表において、利用者がリモコン２の移動キー３０を操作してカーソルを「番組Ｂ３（図３（Ａ）中のＭ０１Ａ部）」に合わせ、リモコン２の録画予約キー３２を操作する。すると、図２のステップＳ３０からＳ３８にて説明した処理を本体１にて行い、図３（Ｂ）のＭ０２Ａ部に示すように、ビデオ録画装置Ｖの予約設定画面Ｍ０２に、「番組Ｂ」の録画予約（Ｍ０２Ａ部）が登録される。本体１のＣＰＵ４０が、番組表Ｍ０１から選択された番組Ｍ０１Ａの中からチャネル（この場合、Ｃｈ−Ｂ）と放送日時（この場合、（２００４年）９月２１日の２０：００〜２２：００）の時間帯を抽出して、ビデオ録画装置Ｖに録画の予約を可能とする録画予約情報に変換してビデオ録画装置Ｖに送信した結果である。
なお、図３（Ｂ）に示すＭ０２Ａ部への録画予約は、予約設定画面Ｍ０２における先頭部分に登録される例を示したが、Ｍ０２Ｂに示すように、空いている予約エリア（この例では「予約番号「５」のエリア」）の先頭に利用者がカーソルを移動させておけば、当該エリアに録画予約が登録される。なお、モードには「標準」「３倍」等を入力可能であり、図示しないメニュー画面（図２におけるステップＳ５２によるメニュー画面）等にて予め設定しておくことが可能である。
【００２４】
●［コード番号一覧表の例（図４）］
既存のテレビ受像機Ｔ及び既存のビデオ録画装置Ｖに付属するリモコンから出力される赤外線リモコン信号は、メーカ毎あるいは同一メーカでも機種毎に異なる場合が考えられる。そこで本体１には、代表的なメーカ及び機種の赤外線リモコン信号の出力パターンを再現するための録画指示変換情報が予め記憶されており、録画指示変換情報はコード番号毎に記憶されている。
図４にコード番号一覧表の例を示す。なお、コード番号一覧表は紙面またはテレビ受像機Ｔに表示可能な電子データ等で提供される。例えばＡ社のビデオ録画装置（機種Ａｂ）を所有している利用者は、コード番号一覧表より、自身が所有するビデオ録画装置に対応するコード番号は「０００」であることが判る。このコード番号を、図２にて説明したステップＳ５２にて選択（入力）する。
【００２５】
●［コード番号からの録画指示変換情報の特定と、録画指示変換情報の例（図５）］
本体１の記憶手段４０ｂには、コード番号に録画指示変換情報を対応付けした対応一覧情報４０ｘと、録画指示変換情報４０ｙとが記憶されている（図５（Ａ）及び（Ｂ）参照）。
例えば本体１のＣＰＵ４０は、選択（入力）されているコード番号が「０００」の場合、対応一覧情報４０ｘから、対応する録画指示変換情報は「ｆｉｌｅ−０００」であると判定する（図２におけるステップＳ３４）。
録画指示変換情報４０ｙには、例えば（１個のデータを送信する）送信フォーマット、（ｎ個のデータを送信フォーマットに従って送信する際のデータ順を示す）送信パターン、そして必要に応じて設定されるデータ変換テーブルが含まれている。なお、図５（Ｂ）に示す録画指示変換情報４０ｙは説明のために波形で記載しているが、実際には、当該波形の動作を実現するデータ等が記憶されている。
【００２６】
例えば図５（Ｂ）に示す送信フォーマットでは、メーカ（及び機種）に固有のリーダコード、カスタムコードに続いて１個のデータを送信するデータコードが、所定の時間間隔のＯＮまたはＯＦＦで構成されている。また、図５（Ｂ）に示す送信パターンでは、送信フォーマットに従った送信を８回送信することで８個のデータを送信し、録画予約情報の送信が完了することを示している。
例えば９月２１日、２０：００〜２２：００、Ｃｈ−Ｂ、標準（図３（Ｂ）のＭ０２Ａ部）の録画予約情報を送信する場合、送信パターンに示したデータ１〜データ８の８回の送信を行い、各送信内容の詳細は、送信フォーマットに示した形式である。この場合、データ１にて「０９」を、データ２にて「２１」を、データ３にて「２０」を、データ４にて「００」を、データ５にて「２２」を、データ６にて「００」を、データ７にて「（Ｃｈ−Ｂに相当するデータ）」を、データ８にて「（標準に相当するデータ）」を送信する。
【００２７】
●［その他の実施例］
以上に説明した本実施の形態におけるテレビ番組表制御装置は、ビデオ録画装置Ｖへの録画予約操作を行った場合に、選択した番組のチャネルと放送日時を含む録画予約情報を作成してビデオ録画装置Ｖに送信した。従って、ビデオ録画装置Ｖが備えている録画予約機能を利用している。
しかし、録画予約に関する情報を本体１に記憶しておき、記憶している録画予約の放送日時になったらビデオ録画装置Ｖを起動して録画を開始することもできる。
例えば２００４年９月２１日（火）の（時刻）０７：００に、利用者が上記の番組Ｂ３の録画予約操作を行う。すると、本体１は、番組Ｂ３のチャネルと放送日時（放送開始日時と放送終了日時）とを対応付けた録画予約情報（図示省略）を記憶する。この時点では本体１からビデオ録画装置Ｖへは何も送信を行わない。
本体１は時計機能（年月日及び時刻を有している）を備えており、本体１に記憶している録画予約情報を所定の時間間隔でチェックする（放送開始日時と放送終了日時をチェックする）。そして本体１（ＣＰＵ４０）は、放送開始日時に達した場合はビデオ録画装置Ｖに録画の開始を指示する無線信号を出力する。また、放送終了日時に達した場合はビデオ録画装置Ｖに録画の終了を指示する無線信号を出力する。
【００２８】
例えば番組Ｂ３の放送日時は２００４年９月２１日（火）の２０：００〜２２：００であり、チャネルはＣｈ−Ｂとする（チャネル及び放送日時（放送開始日時と放送終了日時）は録画予約情報に記憶されている）。ＣＰＵ４０は、本体１に記憶している録画予約情報を、例えば１分毎にチェックし、現在時刻が放送開始日時である２００４年９月２１日（火）の２０：００に達すると、ビデオ録画装置Ｖに「録画の開始を指示する録画開始情報」を無線送信にて出力する。
例えば図５（Ｂ）に示す録画指示変換情報において、送信パターンは「ビデオ録画装置Ｖの電源をＯＮさせるデータ」「チャネル（この場合Ｃｈ−Ｂ）を設定するデータ」「ビデオ録画装置Ｖの「録画ボタン」の操作に相当するデータ」の順に送信する（図示省略）。
また、ＣＰＵ４０は、本体１に記憶している録画予約情報を、例えば１分毎にチェックし、現在時刻が放送終了日時である２００４年９月２１日（火）の２２：００に達すると、ビデオ録画装置Ｖに「録画の終了を指示する録画終了情報」を無線送信にて出力する。
例えば図５（Ｂ）に示す録画指示変換情報において、送信パターンは「ビデオ録画装置Ｖの「停止ボタン」の操作に相当するデータ」「ビデオ録画装置Ｖの電源をＯＦＦさせるデータ」の順に送信する（図示省略）。
なお、この方法を用いてビデオ録画装置Ｖで録画を行う場合、本体１からビデオ録画装置Ｖに送信するデータは、「ビデオ録画装置Ｖの電源をＯＮさせるデータ」「チャネルに相当するデータ」「ビデオ録画装置Ｖの「録画ボタン」の操作に相当するデータ」「ビデオ録画装置Ｖの「停止ボタン」の操作に相当するデータ」「ビデオ録画装置Ｖの電源をＯＦＦさせるデータ」でよい。従って、従来のいわゆる「学習リモコン」と同様に、ビデオ録画装置Ｖのリモコンから上記のコマンドを１つずつ、本体１の受光部２０Ａから入力して記憶させることができる。これにより、コード番号一覧表にないメーカまたは機種のビデオ録画装置Ｖであっても使用することができる。
【００２９】
上記の説明では、放送開始日時に達した場合に、テレビ番組表制御装置がビデオ録画装置Ｖを起動して録画を開始させ、放送終了日時に達した場合に、テレビ番組表制御装置がビデオ録画装置Ｖを停止して録画を終了させる例を説明したが、放送開始日時に達した場合に、ビデオ録画装置Ｖを起動して録画を開始させるとともにビデオ録画装置Ｖの停止時刻等を指示することもできる。
【００３０】
例えばビデオ録画装置Ｖが、設定時刻に達した場合に自動的に電源をＯＦＦにして停止する機能を備えている場合がある。このようなビデオ録画装置に対しては、放送開始日時に達した場合に、テレビ番組表制御装置は「録画の開始を指示する録画開始情報」に、「ビデオ録画装置Ｖが自動的に電源をＯＦＦする時刻に関する情報（放送終了日時に関する情報であり、番組Ｂ３の場合は２２：００）」を追加してもよい。この場合、放送終了日時に達した場合にテレビ番組表制御装置からビデオ録画装置Ｖに録画終了情報を送信しなくても、放送終了日時にビデオ録画装置を自動的に停止させることができる。
【００３１】
また、例えばビデオ録画装置Ｖが、指定した時間が経過した場合に自動的に電源をＯＦＦにして停止する機能を備えている場合がある（例えば、現時点から１時間経過したら停止する機能）。このようなビデオ録画装置に対しては、放送開始日時に達した場合に、テレビ番組表制御装置は「録画の開始を指示する録画開始情報」に、「番組の長さ（時間）に関する情報（放送開始日時から放送終了日時までの長さ（時間）に関する情報であり、番組Ｂ３の場合は２時間）」を追加してもよい。この場合、放送終了日時に達した場合（指定した時間が経過した場合）にテレビ番組表制御装置からビデオ録画装置Ｖに録画終了情報を送信しなくても、放送終了日時にビデオ録画装置を自動的に停止させることができる。
【００３２】
本発明のテレビ番組表制御装置は、本実施の形態で説明した構成、接続、処理手順等に限定されず、本発明の要旨を変更しない範囲で種々の変更、追加、削除が可能である。
本実施の形態にて説明したテレビ受像機Ｔに表示される番組表Ｍ０１、ビデオ録画装置Ｖの予約設定画面Ｍ０２、対応一覧情報４０ｘ、録画指示変換情報４０ｙ等は、本実施の形態の説明に限定されるものではない。
また、本実施の形態の説明に用いた数値等は一例であり、この数値等に限定されるものではない。
【図面の簡単な説明】
【００３３】
【図１】本発明のテレビ番組表制御装置を構成する本体１とリモコン２の外観、及び本体１のブロック構成を説明する図である。
【図２】本発明のテレビ番組表制御装置の本体１の処理の例を説明するフローチャートである。
【図３】テレビ受像機Ｔに表示される番組表の例と、ビデオ録画装置Ｖの予約設定画面の録画予約情報が送信された状態を説明する図である。
【図４】コード番号一覧表の例を説明する図である。
【図５】対応一覧情報４０ｘと録画指示変換情報４０ｙの例を説明する図である。
【符号の説明】
【００３４】
１      本体（テレビ番組表制御装置本体）
２      リモコン
１０    入力端子
１０ａ  チューナ部
１０ｂ  ＥＰＧ復調手段
１２    出力端子
１４    電源端子
２０Ａ  受光部
２０Ｂ  投光部
３０    移動キー
３２    録画予約キー
３４    メニュー表示キー
４０    ＣＰＵ
４０ｂ  記憶手段
４０ｘ  対応一覧情報
４０ｙ  録画指示変換情報
Ｔ      テレビ受像機
Ｖ      ビデオ録画装置
【図１】
2006101423.tif 000003
【図２】
2006101423.tif 000004
【図３】
2006101423.tif 000005
【図４】
2006101423.tif 000006
【図５】
2006101423.tif 000007